(57)【特許請求の範囲】
【請求項１】
商品に警報スタータとしてのトランスポンダ（１０）が取付けられ、
商店、百貨店等の商品売場の出口範囲に設けられる少なくとも１つの検出器が、トランスポンダ（１０）を取付けられた商品が検出器のそばを通り過ぎる時に反応し、トランスポンダ（１０）が、検出のために少なくとも１つのアンテナ（１２）を持ち、このアンテナが、支持体層（１１）上に配置されている、商品の盗難防止システムにおいて、
トランスポンダ（１０）が、異なる面にある少なくとも２つの絶縁支持体層（１１）を持ち、アンテナ（１２）が、少なくとも３つの個々のアンテナの区間（１３，１４，１５）からなり、
各絶縁支持体層（１１）上に１つ又は複数のアンテナ区間（１３，１４，１５）が設けられ、支持体層（１１）の個々のアンテナ区間（１３，１４，１５）が、隣接する支持体層（１１）のアンテナ区間（１３，１４，１５）に導電接続されて、大きい全長の連続したアンテナ経路（１２）を生じ、
連続したアンテナ経路（１２）の順次に続くアンテナ区間（１３，１４，１５）が、隣接する支持体層（１１）上にそれぞれ設けられていることを特徴とする、商品の盗難防止システム。
【請求項２】
個々のアンテナ区間（１３，１４，１５）が、絶縁支持体層（１１）にある通口（１６）を介して、大きい全長の連続したアンテナ経路になるように互いに導電接続されていることを特徴とする、請求項１に記載の盗難防止システム。
【請求項３】
アンテナ経路（１２）の端部が、別の電子構成部分（１７）に導電接続されて、これと共同動作することを特徴とする、請求項１又は２に記載の盗難防止システム。
【請求項４】
アンテナ経路（１２）が、磁気的であることを特徴とする、請求項１ないし３の１つに記載の盗難防止システム。
【請求項５】
アンテナ経路（１２）が、磁化可能であることを特徴とする、請求項１ないし４の１つに記載の盗難防止システム。
【請求項６】
絶縁支持体層（１１）が、繊維技術により製造されていることを特徴とする、請求項１ないし５の１つに記載の盗難防止システム。
【請求項７】
絶縁支持体層（１１）が、箔からなることを特徴とする、請求項１ないし６の１つに記載の盗難防止システム。
【請求項８】
絶縁支持体層（１１）が、フィルムからなることを特徴とする、請求項１ないし７の１つに記載の盗難防止システム。
【発明の詳細な説明】
本発明は、請求の範囲第１項の上位概念に挙げたような盗難防止システムに向けられている。このような盗難防止システムにおいて、トランスポンダ又は磁気ストライプのような警報スタータが、商品に取付けられる。このようにして保護された商品が、あらかじめ警報スタータを取り外し、又はあらかじめこれを安全解除することなく、検出器の近くを通ると、検出器は警報をスタートする。
前記のような警報スタータにおいて、コイルの形の扁平に構成された導体経路配置の形の電気振動回路を支持体上に取付けることは、従来の技術に属する。その際、一部同様に構成された導体経路の２つの層は、絶縁中間層によって分離されて、導体経路の層状の構成によって引起こされる容量が直接振動回路容量として利用できるように配置される。それに対して振動回路容量は、２つの導体経路層のコイル形によって保証される。交番電磁磁界から出ることもできる電磁界をこのような警報スタータが通過する際、導体経路内にまず電圧が誘起され、この電圧は、結果として電流を流し、かつそれにより振動回路が励起される。それにより交番電磁界が発生され、この交番電磁界の特性は、振動回路の特性値に依存する。この交番電磁界は、検出器によって知覚することができ、このことは、警報のスタートに通じることができる。
このような警報スタータシステムは、例えば英国特許第２２１１７０２号明細書に開示されている。２つの平面内に上下に配置された両方の扁平なコイルは、一方の側において互いに電気的に導通接続されている。それによりアンテナの端から端まで延びた全長は、両方の部分範囲の長さの和に制限されている。
ヨーロッパ特許第０２８０３６１号明細書は、類似のシステムを開示しているが、その際、２つの平行な異なった平面な平面内に配置された両方のコイルの電気的に導通する結合は、明らかに行なわれていない。それどころか両方の部分範囲は、純粋に容量的に連結されている。容量を増加するために、それぞれ両方の導体経路の端部範囲は、板状に構成されており、かつ取付け状態においてこれらの板がそれぞれ別の平面内における導体経路の板に対向しているので、比較的大きな面積を有する板コンデンサが生じるように配置されている。ここでも装置の広がりは、大体において２次元であり、かつアンテナ装置の端から端まで延びた全長は、それぞれの導体経路の長さに制限されている。
警報スタータの第２の様式において、接着ラベル上に磁化可能な又は永久磁石のストライプの形のアンテナが取付けられている。磁化可能な構成の場合、商品を陳列する前に警報スタータを磁化しなければならないようになっており、かつこれは、商品の販売の後に、初めて再び減磁される。このようなラベルによって保護された商品がこのそばを通過するときに、このようなストライプから出る弱い磁界を出口範囲にある検出器によって検出することは、これらのタイプの両方の警報スタータにとって共通である。検出器は、それから警報をスタートする。
一方において警報スタータが検出可能なわずかな到達距離、及び他方においてこれが不所望な角度で検出器のそばを通るときの警報スタータの検出不能は、このような周知の警報スタータにおいて欠点である。
本発明の課題は、前記の欠点を回避する、請求の範囲第１項の上位概念に挙げたようなシステムを開発することにある。
これは、請求の範囲第１項の特徴部分に挙げた処置によって達成される。これによれば、アンテナの最大の長さを増加するために、複数の平面にアンテナを配置し、かつ複数であるが少なくとも３つの区間から構成することが有意義であり、かつ警報スタータがまだ検出できる到達距離が増大する。“区間”とは、ここではかつ以下において、とくに請求の範囲において、完全に１つだけの平面内にありかつこの平面の別のいずれの区間にももっぱらこの平面内にある電気的に導通する結合によって結合されていない全導体経路のくさびのことである。この定義によれば、平面内に１つ又は複数の区間があることができ、その際、これらは、後者の場合、別の平面における別の区間を介して互いに電気的に導通結合することができる。本発明によれば、その際、アンテナの個々の区間は、互いに平面的に重なった複数の支持体上に分散される。個々のアンテナ区間は、その端部において前記の定義と一致して、互いに結合されているので、継続的なアンテナ系列が生じ、このアンテナ系列は、総合的に大きな全長を有する。
その際、アンテナ区間の配置から得ることができるコイルが３次元的な広がりを有することが、別の効果である。この３次元的な広がりによって、この時に警報スタータは、検出器に対して不所望な角度に整列されているときにも、検出を行なうことができる。
請求項２によれば、さらに個々のアンテナ区間が、個々の支持体における通口を介して、互いに結合されている場合に有利なことがある。請求項３によれば、アンテナが、例えばコンデンサのような別の警報スタータ構成部分と共同動作するので、電気振動回路が生じることは、有利なことがある。
本発明のその他の処置及び利点は、請求の範囲従属請求項、次の説明及び図面から明らかである。図面において、本発明は、複数の実施例について示されている。ここでは：
図１は、警報スタータの第１の実施例を平面図で概略的に示し、
図２は、警報スタータの第２の実施例を平面図で概略的に示し、
図３は、警報スタータの第３の実施例を展開図で概略的に示している。
図１に、本発明の第１の実施例が示されている。ここに示された警報スタータ１０又はトランスポンダは、上側及び下側の絶縁支持体層１１を有し、ここにそれぞれアンテナ区間１３、１４が取付けられている。第１の位置のアンテナ区間１３は、その端部２０においてそれぞれ導通するように、それぞれ対向する第２の位置のアンテナ区間１４の端部２０に結合されている。その際、結合は、通口１６を通して行なわれ、これらの通口は、上側の支持体層１１に配置されている。個々のアンテナ区間１３、１４は、チェーンの様式にしたがって互いに結合されているので、総合的に端から端まで延びたアンテナ経路１２が生じる。アンテナ経路１２の端部は、この実施例において、コンデンサ１７における接続点１８、１９に接続されている。使用の場合、警報スタータ１０は、隠して商品に取付けられている。振動回路は、外から作用する交番電磁界によって励起することができ、かつ自身で電磁界を構成する。この励起は、警報スタータ１０が検出器障壁を通る際に行なわれる。この時、警報は、警報スタータから出た電磁界が検出器によって検出されることによってスタートされる。警報スタータ１０によって保護された商品は、警報スタータ１０を取り外し又は破壊することによってのみ、再び安全解除することができる。
アンテナ経路１２を有する本発明による警報スタータ１０は、１つの平面に配置された１つだけのコイルを有する警報スタータと比較して、一層大きな長さのアンテナを有し、したがって一層良好な検出能力を有する。さらにアンテナ区間１３、１４の配置によって生じるコイルが、３次元的な空間的広がりを有することによって、検出能力は改善される。この３次元的な広がりは、警報スタータ１０が検出器に対してどのような角度でも位置判定できることを引起こす。
図２における実施例は、アンテナ区間１３、１４、１５が３つの平面においてそれぞれの支持体層１１上に配置されている警報スタータ１０を示している。個々のアンテナ区間１３、１４、１５は、再びコイルの形を有する端から端まで延びたアンテナ経路１２になるように、この構成においても加算される。個々のアンテナ区間１３の端部２０は、通口１６において互いに結合されている。アンテナ経路１２は、接続点１８、１９において、電気振動回路になるようにコンデンサ１７に接続されている。この警報スタータの機能は、図１において前に説明したものに相当する。
図３に本発明の別の実施例が示されている。警報スタータ１０の構成をわかりやすくするために、この図３において支持体層１１は、互いに引き離して示されている。この実施例において、アンテナ区間１３、１４、１５は、再び３つの平面に配置されている。アンテナ区間１３は、接続点１９においてコンデンサ１７に接続されている。アンテナ区間１３は、コイルの巻き線にして支持体層１１に取付けられており、かつ通口１６を介して、中間の支持体層１１における第２の位置のアンテナ区間１４に接続されている。アンテナ区間１４は、通口１６を介して、第３の位置のアンテナ区間１５に接続されている。アンテナ区間１５は、２つの巻き線にして下側の支持体層１１に配置されている。中間の支持体層１１における別の通口１６を介して、これは、中間の支持体層１１に配置された別のアンテナ区間１４に接続されている。このアンテナ区間１４は、上側の支持体層１１における通口１６を介して、別のアンテナ区間１３に接続されている。このアンテナ区間１３は、巻き線にして上側の支持体層１１に配置されており、かつ接続点１８においてコンデンサ１７に電気的に導通するように結合されているので、電気振動回路が生じる。アンテナ区間１３、１４、１５のそれぞれの端部２０の間の接続は、破線で概略的に暗示されている。この警報スタータの機能は、図１において前に説明したものに相当する。
続いてここにおいてもう一度、図示した対象において、本発明の実施例が問題になっているが、本発明がこれに限定されていないことに注意されたい。とくに支持体層の材料は、任意に選択可能になっている。
本発明による警報スタータは、同様に電子構成部分なしでも十分であることができ；例えば、アンテナ経路が磁気的な又は磁化可能な材料からなる場合、十分であることができる。
【図１】
0003873199.tif 000002
【図２】
0003873199.tif 000003
【図３】
0003873199.tif 000004